(57)【要約】      （修正有）【課題】排気弁に大きな回転力が加わっても、排気弁が回転せず、排気弁の軸部が破損しにくい排水設備用蓋を提供する。【解決手段】蓋１０は、蓋本体１５および排気弁１４を備える。蓋本体１５は、軸孔１３ｃが形成された筒状部１３Ｂと、筒状部１３Ｂよりも径方向の外側に配置され、筒状部１３Ｂから離間した環状部１３Ａと、径方向の内側から外側に向かって延び、筒状部１３Ｂと環状部１３Ａとをつなぐ複数の架け渡し部とを有する。筒状部１３Ｂと環状部１３Ａと架け渡し部とによって、排気孔が区画されている。排気弁１４は、蓋本体１５に載置されて排気孔を覆う弁体部１４Ａと、弁体部１４Ａから下方に延び、軸孔１３ｃにスライド可能に挿通された軸部１４Ｂと、弁体部１４Ａから下方に延び、周方向に隣り合う架け渡し部の間に配置されたリブ１４Ｄと、を有する。【選択図】図７
2018025026.tif 000002
【特許請求の範囲】
【請求項１】
排気孔が形成された蓋本体と、
前記蓋本体に載置されて前記排気孔を覆う弁体部と、前記弁体部から下方に延びる延伸部と、を有する排気弁と、
を備え、
前記延伸部は、前記排気弁の中心からずれた位置に設けられ、
前記蓋本体は、前記排気孔の周縁から中心側に延び、前記排気弁の前記延伸部と当接することにより前記排気弁の回転を防止する回転防止部を有している、排水設備用蓋。
【請求項２】
前記蓋本体は、軸孔が形成された中央部と、前記中央部よりも径方向の外側に配置され、前記中央部から離間した外周部と、径方向の内側から外側に向かって延び、前記中央部と前記外周部とをつなぐ複数の架け渡し部と、を有し、
前記排気孔は、前記中央部と前記外周部と前記架け渡し部とによって区画され、
前記軸孔は、前記蓋本体の中心部に設けられ、
前記排気弁は、前記弁体部の中心部から下方に延び、前記軸孔にスライド可能に挿通された軸部を有し、
前記回転防止部は、前記架け渡し部によって構成されている、請求項１に記載の排水設備用蓋。
【請求項３】
前記延伸部は、周方向に延びるリブからなっている、請求項１または２に記載の排水設備用蓋。
【請求項４】
前記リブの少なくとも一部は、前記弁体部の径方向の中心と外端との中間位置よりも外端側に配置されている、請求項３に記載の排水設備用蓋。
【請求項５】
雨水設備の点検口に固定され、前記蓋本体が載置されることにより前記蓋本体が着脱自在に装着される蓋枠を備え、
前記蓋本体は、前記蓋枠から浮上したときに前記蓋枠と係合することによって前記蓋本体の飛散を防止する蓋ストッパを有している、請求項１〜４のいずれか一つに記載の排水設備用蓋。
【発明の詳細な説明】
【技術分野】
【０００１】
本発明は、排水設備に設けられる排水設備用蓋に関する。
【背景技術】
【０００２】
従来から、ますやマンホール等のように、雨水や汚水等の排水を処理するために地中に埋設された排水設備が知られている。また、このような排水設備に、圧力開放機能を有する蓋を設けることが知られている。
【０００３】
例えば特許文献１に、そのような蓋が記載されている。特許文献１に記載された蓋は、上下に貫通する通気孔が形成された蓋本体と、蓋本体に被せられた弁体（以下、排気弁という）とからなるマンホール蓋である。排気弁には下方に延びる作動軸（以下、軸部という）が設けられており、蓋本体にはその軸部を上下にスライド自在に支持する支持部が形成されている。マンホールの内部圧力が高くなると、その内部圧力を受けて排気弁が浮き上がり、通気孔は開放される。すると、マンホール内の空気の一部が通気孔から外部に排出され、マンホールの内部圧力が開放される。
【０００４】
ところで、マンホールの蓋は歩行者によって踏まれることがある。歩行者が排気弁を踏んだ際に、排気弁が蓋本体に対し回転してしまうおそれがある。特許文献１には、歩行者が排気弁を踏んだ際に排気弁が回転しないように、排気弁の軸部の横断面形状を非真円形状とすることが記載されている。
【先行技術文献】
【特許文献】
【０００５】
【特許文献１】特開２０１１−１１１８５５号公報
【発明の概要】
【発明が解決しようとする課題】
【０００６】
ところが、上記軸部は排気弁の回転中心付近に設けられた部分である。そのため、外部から排気弁に回転力が加わった場合、軸部には大きな力が作用することになる。加えて、軸部は小径の部分である。そのため、軸部の横断面形状によっては、排気弁に大きな回転力が加わると、軸部の横断面形状が非真円形状であるにも拘わらず排気弁が回転してしまうことがある。また、軸部の横断面形状によっては、排気弁に大きな回転力が加わると、軸部が破損してしまうおそれがある。なお、このような課題は、地中に埋設された排水設備に限らず、地上に設置された排水設備に設けられる蓋であっても同様に生じ得る。
【０００７】
本発明はかかる点に鑑みてなされたものであり、その目的は、排気弁に大きな回転力が加わっても、排気弁が回転せずかつ破損しにくい排水設備用蓋を提供することである。
【課題を解決するための手段】
【０００８】
本発明に係る排水設備用蓋は、排気孔が形成された蓋本体と、排気弁とを備えている。前記排気弁は、前記蓋本体に載置されて前記排気孔を覆う弁体部と、前記弁体部から下方に延びる延伸部と、を有する。前記延伸部は、前記排気弁の中心からずれた位置に設けられている。前記蓋本体は、前記排気孔の周縁から中心側に延び、前記排気弁の前記延伸部と当接することにより前記排気弁の回転を防止する回転防止部を有している。
【０００９】
上記排水設備用蓋によれば、排気弁に回転力が加わると、排気弁の延伸部と蓋本体の回転防止部とが当接することにより、排気弁の回転が防止される。延伸部は排気弁の中心からずれた位置に設けられているので、排気弁の中心に設けられている場合に比べて、排気弁に回転力が加わったときに延伸部に作用する力は小さい。そのため、排気弁に大きな回転力が加わっても、延伸部は破損しにくい。
【００１０】
本発明の好ましい一態様によれば、前記蓋本体は、軸孔が形成された中央部と、前記中央部よりも径方向の外側に配置され、前記中央部から離間した外周部と、径方向の内側から外側に向かって延び、前記中央部と前記外周部とをつなぐ複数の架け渡し部と、を有している。前記排気孔は、前記中央部と前記外周部と前記架け渡し部とによって区画されている。前記軸孔は、前記蓋本体の中心部に設けられている。前記排気弁は、前記弁体部の中心部から下方に延び、前記軸孔にスライド可能に挿通された軸部を有している。前記回転防止部は、前記架け渡し部によって構成されている。
【００１１】
上記態様によれば、排気弁に回転力が加わると、排気弁の延伸部と蓋本体の架け渡し部とが当接することにより、排気弁の回転が防止される。架け渡し部は蓋本体の中央部から外周部に架けて設けられた部材であるので、排気弁に対して大きな回転力が加わったとしても、延伸部が架け渡し部を乗り越えるおそれは少ない。また、排気弁に加わる回転力の全部または大部分は、延伸部と架け渡し部とが当接することにより受け止められるので、軸部に大きな力が加わることがない。よって、排気弁に大きな回転力が加わっても、排気弁は回転せず、軸部は破損しにくい。
【００１２】
本発明の好ましい他の一態様によれば、前記延伸部は、周方向に延びるリブからなっている。
【００１３】
周方向に延びるリブは、周方向の力に対して高い剛性を有する。よって、上記態様によれば、排気弁に大きな回転力が加わったとしても、排気弁の回転をより確実に防ぐことができる。
【００１４】
本発明の好ましい他の一態様によれば、前記リブの少なくとも一部は、前記弁体部の径方向の中心と外端との中間位置よりも外端側に配置されている。
【００１５】
排気弁が回転していない場合、排気弁に対し外部から加えられるトルク（回転力）をＴ、弁体部の径方向の中心からリブまでの距離をＬ、リブと架け渡し部とが当接する際に架け渡し部からリブに加わる力をＦとすると、Ｔ＝Ｌ×Ｆである。Ｔを一定とすると、Ｌが大きいほどＦは小さくなる。すなわち、弁体部の径方向の中心からリブまでの距離が大きいほど、架け渡し部とリブとの間に発生する力は小さくなる。上記態様によれば、リブは弁体部の径方向の中間位置よりも外端側に配置されており、中心からの距離が比較的大きい。よって、架け渡し部とリブとの間に発生する力を小さく抑えることができる。したがって、排気弁に大きな力が加わっても、リブおよび架け渡し部は破損しにくく、排気弁の回転をより確実に防止することができる。
【００１６】
本発明の好ましい他の一態様によれば、雨水設備の点検口に固定され、前記蓋本体が載置されることにより前記蓋本体が着脱自在に装着される蓋枠を備えている。前記蓋本体は、前記蓋枠から浮上したときに前記蓋枠と係合することによって前記蓋本体の飛散を防止する蓋ストッパを有している。
【００１７】
雨水設備では、集中豪雨時に一時的に大量の雨水が流れることがあり、雨水の一部を強制的に外部に排出すべき場合がある。上記態様によれば、集中豪雨時に雨水の一部が点検口まで上昇すると、蓋枠に載置された蓋本体がその雨水によって上方に持ち上げられる。これにより、点検口（厳密には蓋枠の開口）が開かれ、雨水を点検口から排出することができる。よって、排気孔からだけでは排出しきれない程の多くの雨水を排出することができる。なお、蓋本体が浮上することによって点検口が開放されるが、蓋ストッパが蓋枠と係合することにより、蓋本体の飛散が防止される。雨水を排出し終わったときに、蓋本体は自重により下降し、点検口は閉じられる。
【発明の効果】
【００１８】
本発明によれば、排気弁に大きな回転力が加わっても、排気弁が回転せず、破損しにくい排水設備用蓋を提供することができる。
【図面の簡単な説明】
【００１９】
【図１】雨水設備の側面図である。
【図２】雨水設備の平面図である。
【図３】蓋の平面図である。
【図４】蓋の側面図である。
【図５】蓋の裏面図である。
【図６】図３のＡ−Ａ線断面図である。
【図７】図３のＢ−Ｂ線断面図である。
【図８】蓋本体の平面図である。
【図９】排気弁の平面図である。
【図１０】排気弁の側面図である。
【図１１】図９のＡ−Ａ線断面図である。
【図１２】図９のＢ−Ｂ線断面図である。
【図１３】排気弁が開いたときの蓋の図７相当断面図である。
【図１４】排気弁および蓋本体が開いたときの蓋の図７相当断面図である。
【図１５】蓋の部分拡大裏面図である。
【図１６】他の実施形態に係る蓋の部分拡大裏面図である。
【図１７】他の実施形態に係る蓋の部分拡大裏面図である。
【発明を実施するための形態】
【００２０】
以下、本発明の実施の一形態について説明する。図１は、排水設備の一例としての雨水設備１の側面図である。図２は雨水設備１の平面図である。本実施形態に係る雨水設備１は、地中に埋設されたものである。ただし、本発明に係る排水設備は地中に埋設されたものに限定されず、その一部または全部が地上に配置されたものであってもよい。
【００２１】
雨水設備１は、第１配管２１と、第１配管２１に接続されたます２０と、ます２０に接続された第２配管４と、第２配管４に接続された雨水貯留槽３と、雨水貯留槽３に接続された第３配管６とを備えている。第３配管６は側溝６０に接続されている。雨水貯留槽３は、槽本体２および点検筒５を有している。第１配管２１は、ます２０に向けて雨水を導く配管である。第２配管４は、ます２０から排出される雨水を雨水貯留槽３に導く配管である。第３配管６は、雨水貯留槽３から側溝６０に向けて雨水を導く配管である。
【００２２】
ます２０の上部には点検口１１が形成されている。雨水貯留槽３の点検筒５の上部にも点検口１１が形成されている。点検口１１は上向きに開口している。ます２０の点検口１１および雨水貯留槽３の点検筒５の点検口１１には、本実施形態に係る排水設備用蓋（以下、単に蓋という）１０が設けられている。なお、蓋１０は、ます２０の点検口１１および雨水貯留槽３の点検筒５の点検口１１のいずれか一方のみに設けられ、他方には圧力開放機能を有さない蓋が設けられていてもよい。
【００２３】
次に、蓋１０の詳細について説明する。ここでは、雨水貯留槽３の点検筒５の点検口１１に設けられた蓋１０について説明する。図３は蓋１０の平面図、図４は蓋１０の側面図、図５は蓋１０の裏面図である。図６は図３のＡ−Ａ線断面図であり、図７は図３のＢ−Ｂ線断面図である。図６に示すように、蓋１０は、点検口１１に固定される蓋枠１２と、蓋枠１２に載置されることにより蓋枠１２に着脱自在に装着される蓋本体１５と、蓋本体１５に載置された排気弁１４とを備えている。
【００２４】
蓋本体１５は、本体部１３および蓋ストッパ１６を有している。ここでは、本体部１３と蓋ストッパ１６とは別体であり、蓋ストッパ１６は本体部１３に取り付けられている。ただし、本体部１３および蓋ストッパ１６は別体に限らず、一体物であってもよい。蓋本体１５は、シール材１７を介して蓋枠１２に嵌合されているが、蓋枠１２の上に載せられているだけであり、接着等によって固定されている訳ではない。
【００２５】
図８は本体部１３の平面図である。本体部１３は、軸孔１３ｃが形成された筒状部１３Ｂと、筒状部１３Ｂよりも径方向の外側に配置され、平面視において環状に形成された環状部１３Ａと、筒状部１３Ｂと環状部１３Ａとをつなぐ架け渡し部１３Ｃとを有している。
【００２６】
環状部１３Ａは筒状部１３Ｂから離間している。環状部１３Ａ、筒状部１３Ｂは、それぞれ「中央部」、「外周部」の一例である。ただし、蓋本体１５の外周部は必ずしも環状の部材に限定されず、中央部は筒状の部材に限定されない。軸孔１３ｃは、蓋本体１５の中心部に設けられている。軸孔１３ｃは、平面視略十字状に形成されている。ただし、軸孔１３ｃの平面視形状は特に限定されない。例えば、軸孔１３ｃの平面視形状は円形（真円形、長円形を含む）であってもよい。
【００２７】
架け渡し部１３Ｃは、径方向の内側から外側に向かって延びる棒状に形成されている。ここでは、架け渡し部１３Ｃは、径方向に沿って直線状に延びている。ただし、架け渡し部１３Ｃは、径方向に対して斜めの方向に延びていてもよい。架け渡し部１３Ｃは、直線状に限らず、曲線状であってもよい。架け渡し部１３Ｃは、屈曲した形状を有していてもよい。架け渡し部１３Ｃの本数は特に限定されないが、複数であることが好ましい。ここでは、架け渡し部１３Ｃは４本設けられている。ただし、架け渡し部１３Ｃの本数は、２でもよく、３でもよく、５以上であってもよい。
【００２８】
環状部１３Ａには、蓋ストッパ１６が嵌め込まれる孔１３ａが形成されている。ここでは、環状部１３Ａに２つの孔１３ａが形成されている。２つの孔１３ａは、本体部１３の中心Ｃ（なお、本体部１３の中心は、排気弁１４の中心でもあり、蓋１０の中心でもある。）に対して、点対称の位置に配置されている。ただし、孔１３ａの配置は特に限定されない。また、孔１３ａの数は蓋ストッパ１６の本数と同数であればよく、２つに限定されない。孔１３ａの数は１つでもよく、３つ以上であってもよい。
【００２９】
環状部１３Ａの内側には、排気孔１３ｂが形成されている。ここでは、４つの排気孔１３ｂが形成されている。ただし、排気孔１３ｂの数は４に限定されない。排気孔１３ｂの数は１〜３であってもよく、５以上であってもよい。排気孔１３ｂは、環状部１３Ａと筒状部１３Ｂと架け渡し部１３Ｃとによって区画されている。筒状部１３Ｂには軸孔１３ｃが形成されている。
【００３０】
図６に示すように、環状部１３Ａの中心部には、排気弁１４が嵌め込まれる凹部１３ｄが形成されている。すなわち、本体部１３のうち環状部１３Ａの径方向内側の部分は、凹部１３ｄを有している。排気弁１４が凹部１３ｄに嵌め込まれることにより、排気弁１４の上面と蓋本体１５の上面と地面とが実質的に面一となる。凹部１３ｄの周縁には、中心側に行くにつれて下方へ向かうように傾斜した傾斜面１３ｅが形成されている。環状部１３Ａの外周面には、シール材１７が取り付けられている。
【００３１】
蓋ストッパ１６は、環状部１３Ａの孔１３ａに嵌め込まれた頭部１６Ａと、頭部１６Ａの下方に位置する軸部１６Ｂとを有している。頭部１６Ａの外周面には、シール材１８が取り付けられている。軸部１６Ｂは、頭部１６Ａから下方に延びる縦部１６ａと、縦部１６ａから径方向の外側に延びる係合部１６ｂとを有している。
【００３２】
蓋枠１２は点検筒５に固定されている。蓋枠１２は、例えば点検筒５に接着されていてもよい。蓋枠１２は、点検筒５に接着された接着部を有していてもよい。蓋枠１２を点検筒５に固定する構成は何ら限定されない。蓋枠１２は、蓋本体１５を支持する支持部１２ａを有している。ここでは支持部１２ａは、蓋本体１５の外周部の下面を支持する平坦面によって構成されている。
【００３３】
蓋枠１２は、筒状部１２ｂと、筒状部１２ｂから径方向内側に突出する被係合部１２ｃとを有している。ここでは被係合部１２ｃは、リング状に形成されている。蓋ストッパ１６の係合部１６ｂの径方向の外端は、蓋枠１２の被係合部１２ｃの径方向の内端よりも、径方向の外側に位置している。平面視において、被係合部１２ｃと係合部１６ｂとは部分的に重なっている。図５に示すように、下方から見て、被係合部１２ｃと係合部１６ｂとは部分的に重なっている。そのため、蓋本体１５が上方に移動すると、蓋ストッパ１６の係合部１６ｂと蓋枠１２の被係合部１２ｃとが当接し、蓋本体１５の上方への移動が規制される。
【００３４】
図９は排気弁１４の平面図である。図１０は排気弁１４の側面図である。図１１は図９のＡ−Ａ線断面図、図１２は図９のＢ−Ｂ線断面図である。ただし、図１０〜図１２では、後述する弁ストッパ１４Ｃの図示は省略している。図１１および図１２に示すように、排気弁１４は、蓋本体１５の凹部１３ｄに載置されて排気孔１３ｂを覆う弁体部１４Ａと、弁体部１４Ａから下方に延びる軸部１４Ｂと、弁体部１４Ａから下方に延びるリブ１４Ｄと、軸部１４Ｂの下端部に固定された弁ストッパ１４Ｃ（図６参照）とを有している。リブ１４Ｄは、弁体部１４Ａから下方に延びる延伸部の一例である。
【００３５】
図９に示すように平面視において、弁体部１４Ａは円形に形成されている。図３に示すように平面視において、弁体部１４Ａの周囲は蓋本体１５の環状部１３Ａに囲まれている。図６に示すように、弁体部１４Ａの側面は、下方に行くほど中心側に向かうように傾斜している。弁体部１４Ａの側面には、シール材１９が設けられる。
【００３６】
軸部１４Ｂは、弁体部１４Ａの中心部から下方に向かって延びている。軸部１４Ｂは、蓋本体１５の筒状部１３Ｂの軸孔１３ｃにスライド可能に挿通される。軸部１４Ｂの横断面形状は、軸孔１３ｃの横断面形状と同様である。本実施形態では、軸孔１３ｃの横断面形状は略十字状に形成されているので、軸部１４Ｂの横断面形状は略十字状に形成されている。
【００３７】
弁ストッパ１４Ｃは、軸部１４Ｂにおける筒状部１３Ｂよりも下方の部分に固定されている。弁ストッパ１４Ｃの径方向の外端は、筒状部１３Ｂの軸孔１３ｃの内周面よりも、径方向の外側に位置している。平面視において、筒状部１３Ｂと弁ストッパ１４Ｃとは部分的に重なっている。そのため、排気弁１４が蓋本体１５に対して上方に移動すると、弁ストッパ１４Ｃと筒状部１３Ｂとが当接し、排気弁１４の上方への移動が規制される。図７に示すように、排気弁１４が蓋本体１５の上に載っているとき（排気孔１３ｂが排気弁１４により閉じられているとき）の筒状部１３Ｂの下端と弁ストッパ１４Ｃの上端との間の距離をＳとする。すると、排気弁１４が距離Ｓだけ浮上すると、弁ストッパ１４Ｃと筒状部１３Ｂとが当接することになる。距離Ｓは排気弁１４の最大浮上量である。
【００３８】
リブ１４Ｄは、軸部１４Ｂよりも径方向の外側に配置されている。リブ１４Ｄの本数は特に限定されないが、図５に示すように、本実施形態では４本のリブ１４Ｄが設けられている。各リブ１４Ｄは周方向に延びており、湾曲している。
【００３９】
リブ１４Ｄは、周方向に隣り合う架け渡し部１３Ｃの間に配置されている。リブ１４Ｄは、リブ１４Ｄの一部が架け渡し部１３Ｃの近傍に位置するように設けられることが好ましい。リブ１４Ｄの長さは特に限定されない。図１５は、蓋１０の中心部近傍の部分を拡大して示す裏面図である。図１５に示すように、中心Ｃとリブ１４Ｄの一端とを結ぶ線分１４ｉと、中心Ｃとリブ１４Ｄの他端とを結ぶ線分１４ｊとがなす角をαとする。中心Ｃから一方の架け渡し部１３Ｃの中心に沿って延びる線分１３ｉと、中心Ｃから他方の架け渡し部１３Ｃの中心に沿って延びる線分１３ｊとがなす角（言い換えると、架け渡し部１３Ｃの周方向のピッチ角）をθとする。その場合、αは０．５×θ以上であることが好ましく、０．６×θ以上であることが更に好ましく、０．７×θ以上であることが更に好ましい。本実施形態では、θ＝９０°、α＝７０°である。
【００４０】
リブ１４Ｄの径方向の位置は特に限定されないが、ここでは図１２に示すように、リブ１４Ｄの少なくとも一部は、弁体部１４Ａの径方向の中心Ｃと外端Ｐとの中間位置Ｍよりも外端Ｐ側に配置されている。
【００４１】
図７に示すように、リブ１４Ｄの上下方向の寸法ＨはＳよりも大きい。すなわち、Ｈ＞Ｓである。リブ１４Ｄの上下方向の寸法は、排気弁１４の最大浮上量Ｓよりも大きい。リブ１４Ｄは、排気弁１４が浮上しても架け渡し部１４Ｃと横方向に重なり続ける位置に配置されている。リブ１４Ｄは、排気弁１４が最大限浮上しても、リブ１４Ｄの下端が架け渡し部１４Ｃの上端よりも下方に位置するように構成されている。なお、リブ１４Ｄの上下方向の寸法Ｈと架け渡し部１４Ｃの上下方向の寸法の大小は特に限定されない。リブ１４Ｄの上下方向の寸法Ｈは、架け渡し部１４Ｃの上下方向の寸法よりも小さくてもよく、等しくてもよく、大きくてもよい。排気弁１４が蓋本体１５の上に載っているときに、リブ１４Ｄの下端は、架け渡し部１４Ｃの下端よりも下方に位置していてもよい。
【００４２】
蓋枠１２、蓋本体１５の本体部１３およびストッパ１６、並びに排気弁１４の材料は、何ら限定されない。例えば、塩化ビニルなどの合成樹脂であってもよい。
【００４３】
排気弁１４の重量は、蓋本体１５の重量よりも小さい。図３に示すように、蓋本体１５の平面視面積は、排気弁１４の平面視面積よりも大きい。
【００４４】
以上が蓋１０の構成である。説明は省略するが、ます２０の点検口１１に設けられる蓋１０の構成も同様である。蓋１０は、雨水設備１の内部圧力が高くなったときにその圧力を開放する機能と、集中豪雨時に雨水設備１に大量の雨水が流入してきたときに、その雨水の一部を排出する機能とを有する。次に、雨水貯留槽３の点検筒５に設けられた蓋１０を例として、蓋１０の圧力開放動作および雨水排出動作について説明する。
【００４５】
雨水貯留槽３の内部圧力（空気の圧力）が高くなると、蓋１０に対して、下方から上方へ向けて圧力が加わる。圧力が所定の圧力（以下、第１圧力という）以上になると、図１３に示すように、排気弁１４が上記圧力によって浮上する。すると、排気弁１４によって塞がれていた排気孔１３ｂ（図８も参照）が開放される。これにより、雨水貯留槽３の内部空気の一部が排気孔１３ｂを通じて外部に逃がされ、雨水貯留槽３の内部圧力が低下する。よって、雨水貯留槽３の内部圧力が過剰に高くなることが防止される。なお、排気弁１４が所定距離Ｓだけ浮上すると、弁ストッパ１４Ｃと筒状部１３Ｂとが当接し、排気弁１４の浮上が規制される。排気弁１４は弁ストッパ１４Ｃを備えているので、蓋本体１５から外れてしまうことが防止される。雨水貯留槽３の内部圧力が第１圧力未満になると、排気弁１４は自重によって降下し、蓋本体１５の上に載置される。すると、排気弁１４によって排気孔１３ｂが塞がれ、雨水貯留槽３は密閉される。なお、雨水貯留槽３の内部圧力が再度高くなると、同様の動作が繰り返される。これにより、雨水貯留槽３の内部圧力が第１圧力未満に調節される。
【００４６】
集中豪雨時に、雨水設備１に大量の雨水が流入し、雨水貯留槽３から雨水が溢れる場合がある。そのような場合には、雨水が点検筒５内を上昇し、この雨水によって、蓋１０に上向きの圧力が加わる。蓋１０に加わる圧力が第１圧力以上になると、排気弁１４が蓋本体１５から浮上し、排気孔１３ｂが開放される（図１３参照）。雨水は排気孔１３ｂを通じて雨水貯留槽３の外部に排出される。
【００４７】
雨水貯留槽３から溢れる雨水の量が多い場合、排気孔１３ｂのみでは十分な量の雨水を排出しきれず、蓋１０に対して更に圧力が加わる。蓋１０に対し、第１圧力よりも大きな圧力（以下、第２圧力という）が加わると、図１４に示すように、蓋本体１５が蓋枠１２から浮上し、点検口１１が開放される。なお、点検口１１には蓋枠１２が固定されているので、蓋本体１５が蓋枠１２から浮上すると、厳密には、蓋枠１２の内側が開放されることになる。しかし、本明細書では、このように蓋枠１２の内側が開放されることを、「点検口１１が開放される」と言うこととする。第２圧力は第１圧力よりも大きいので、蓋本体１５は、排気弁１４が蓋本体１５から浮上した状態のまま、蓋枠１２から浮上する。蓋本体１５が蓋枠１２から浮上すると、雨水は、排気孔１３ｂと、蓋本体１５と蓋枠１２との間の隙間とから、雨水貯留槽３の外部に排出される。そのため、排出される雨水の量が多くなる。なお、蓋本体１５が浮上した後、蓋ストッパ１６の係合部１６ｂと蓋枠１２の被係合部１２ｃとが係合し、蓋本体１５の更なる上昇が防止される。よって、蓋本体１５が蓋枠１２から飛散することはない。また、蓋本体１５が蓋枠１２の上方の位置に保たれる。雨水が十分に排出され、蓋１０に加わる圧力が第２圧力よりも小さくなると、蓋本体１５は自重によって蓋枠１２の上に載り、点検口１１は閉鎖される。また、蓋１０に加わる圧力が第１圧力よりも小さくなると、排気弁１４が蓋本体１５の上に載り、排気孔１３ｂが塞がれる。
【００４８】
以上のように、本実施形態に係る蓋１０では、図１５に示すように、蓋本体１５の周方向に隣り合う一対の架け渡し部１３Ｃの間に、排気弁１４のリブ１４Ｄが配置されている。そのため、排気弁１４に外部から大きな回転力Ｋが加わった場合、リブ１４Ｄの一端１４ｋが架け渡し部１３Ｃに当接し、排気弁１４の回転が防止される。架け渡し部１３Ｃは蓋本体１５の筒状部１３Ｂから環状部１３Ａにわたって径方向の内側から外側に架けて設けられているので、排気弁１４に大きな回転力が加わったとしても、リブ１４Ｄが架け渡し部１３Ｃを乗り越えるおそれはない。また、排気弁１４の軸部１４Ｂに大きな力が加わることがない。よって、排気弁１４に外部から大きな回転力が加わっても、排気弁１４は回転せず、軸部１４Ｂは破損しにくい。
【００４９】
ところで、雨水設備１の内部圧力を開放した後に、排気弁１４は自重により降下して蓋本体１５の上に載置され、排気孔１３ｂを塞ぐ。ところが、排気弁１４が浮上したときに回転すると、リブ１４Ｄの位置が、周方向に隣り合う２つの架け渡し部１３Ｃの間の位置から、架け渡し部１３Ｃの真上の位置にずれるおそれがある。位置がずれたまま排気弁１４が降下すると、リブ１４Ｄが架け渡し部１３Ｃの上に乗り上げ、排気孔１３ｂが排気弁１４によって良好に塞がれないおそれがある。しかし、本実施形態に係る蓋１０によれば、リブ１４Ｄの上下方向の寸法Ｈは、排気弁１４の最大浮上量Ｓよりも大きい（図７参照）。排気弁１４が最大限浮上した場合でも、リブ１４Ｄの一部は、周方向に隣り合う架け渡し部１３Ｃの間から外れない。よって、排気弁１４は、浮上したときにも回転しない。排気弁１４が自重により降下したときに、リブ１４Ｄが架け渡し部１３Ｃの上に乗り上げることはない。よって、本実施形態に係る蓋１０によれば、雨水設備１の内部圧力を開放した後、排気孔１３ｂを良好に塞ぐことができる。
【００５０】
ただし、Ｈ＞Ｓであることは必須事項ではない。上述の効果は得られないが、Ｈ＝Ｓであってもよく、Ｈ＜Ｓであってもよい。
【００５１】
排気弁１４が所定距離Ｓよりも浮上しないように規制する規制部の具体的構成は何ら限定されないが、本実施形態では、規制部は軸部１４Ｂの径方向の外側に延びる弁ストッパ１４Ｃからなっている。本実施形態では、排気弁１４が所定距離Ｓだけ浮上すると、弁ストッパ１４Ｃが筒状部１３Ｂの下端に当接し、排気弁１４の浮上が規制される。
【００５２】
延伸部の構成は特に限定されないが、本実施形態では周方向に延びるリブ１４Ｄからなっている。周方向に延びるリブ１４Ｄは、周方向の力に対して高い剛性を有する。よって、排気弁１４に大きな回転力が加わったとしても、排気弁１４の回転をより確実に防止することができる。
【００５３】
排気弁１４に対し外部から加えられるトルク（回転力）をＴ、排気弁１４の径方向の中心Ｃからリブ１４Ｄまでの距離をＬ、リブ１４Ｄと架け渡し部１３Ｃとの当接により架け渡し部１３Ｃからリブ１４Ｄに加わる力をＦとすると、Ｔ＝Ｌ×Ｆである。Ｔを一定とすると、Ｌが大きいほどＦは小さくなる。すなわち、中心Ｃからリブ１４Ｄまでの距離Ｌが大きいほど、架け渡し部１３Ｃとリブ１４Ｄとの間に発生する力は小さくなる。本実施形態では、図１２に示すように、リブ１４Ｄの少なくとも一部は、弁体部１４Ａの径方向の中心Ｃと外端Ｐとの中間位置Ｍよりも外端Ｐ側に配置されている。リブ１４Ｄは、中心Ｃから比較的離れた位置に形成されている。よって、架け渡し部１３Ｃとリブ１４Ｄとの間に発生する力を小さく抑えることができる。したがって、排気弁１４に大きな回転力が加わっても、リブ１４Ｄおよび架け渡し部１３Ｃは破損しにくく、排気弁１４の回転をより確実に防止することができる。
【００５４】
本実施形態に係る蓋１０によれば、雨水設備１の内部圧力が高まると、排気弁１４がその内部圧力によって上方に持ち上げられる。これにより、排気孔１３ｂが開かれ、雨水設備１の内部圧力が過剰に高くなることを防止することができる。本実施形態に係る蓋１０によれば、雨水設備１の内部圧力を開放する際に、蓋本体１５を浮上させる必要がない。蓋本体１５よりも軽い排気弁１４を浮上させることにより、雨水設備１内の空気を外部に逃がすことができる。よって、雨水設備１の微小な圧力調整が可能である。一方、集中豪雨時に雨水が点検口１１まで上昇した場合、排気弁１４が浮上することにより、排気孔１３ｂを通じて雨水の一部を雨水設備１の外部に排出することができる。更に、排気孔１３ｂからだけでは雨水を排出しきれない場合、蓋本体１５が蓋枠１２から浮上し、点検口１１が開放される。そのため、排気孔１３ｂに加えて、蓋本体１５と蓋枠１２との間の隙間からも、雨水の一部を排出することができる。よって、雨水の排出量を増加させることができる。本実施形態に係る蓋１０によれば、集中豪雨時において、排気孔１３ｂだけでは排出しきれない程の多くの雨水を排出することができる。本実施形態に係る蓋１０によれば、雨水設備１の微小な圧力調整が可能であると共に、集中豪雨時に多くの雨水を排出することができる。
【００５５】
蓋本体１５が蓋枠１２から浮上することによって点検口１１が開放されるが、蓋本体１５が所定量以上浮上すると、蓋ストッパ１６が蓋枠１２と係合する。そのため、蓋本体１５が蓋枠１２の上方の位置から外れることがない。よって、点検口１１から雨水を排出した後、蓋本体１５は自重により蓋枠１２の上に載り、点検口１１は閉じられる。
【００５６】
以上、本発明の実施の一形態について説明したが、本発明の実施の形態が前記形態に限られないことは勿論である。本発明は、他にも種々の形態にて実施することができる。次に、他の実施形態について簡単に説明する。
【００５７】
前記実施形態に係る蓋１０は、雨水貯留槽３の点検筒５またはます１０に設けられたものである。しかし、本発明に係る蓋の適用対象は、雨水貯留槽３およびます１０に限定されない。本発明に係る蓋は、任意の排水設備に適用可能である。
【００５８】
前記実施形態に係る蓋１０は、排気弁１４が蓋本体１５に対して浮上可能であると共に、蓋本体１５が蓋枠１２に対して浮上可能に構成されている。しかし、蓋本体１５は必ずしも浮上可能である必要はない。蓋本体１５の蓋ストッパ１６はなくてもよい。
【００５９】
周方向に隣り合う架け渡し部１３Ｃの間に配置されるリブ１４Ｄの数は１つに限られない。例えば、図１６に示すように、周方向に隣り合う架け渡し部１３Ｃの間に、２つのリブ１４Ｄが配置されていてもよい。周方向に隣り合う架け渡し部１３Ｃの間に複数のリブ１４Ｄを配置する場合、それらのリブ１４Ｄの中心Ｃからの距離は等しくてもよく（図１６参照）、異なっていてもよい。
【００６０】
周方向に隣り合う架け渡し部１３Ｃの間に配置される延伸部は、リブ１４Ｄに限られない。例えば図１７に示すように、延伸部は弁体部１４Ａから下方に延びるピン１４Ｅであってもよい。延伸部として、架け渡し部１３Ｃに対して周方向に係合する任意の部材を用いることができる。複数の延伸部は、互いに同一の形状および同一の寸法を有していてもよいが、形状および寸法の少なくとも一方が異なっていてもよい。
【００６１】
複数の架け渡し部１３Ｃは、必ずしも周方向に一定ピッチで配置されている必要はない。架け渡し部１３Ｃの周方向の間隔は等間隔でなくてもよく、不等間隔であってもよい。複数の架け渡し部１３Ｃの形状や寸法は、必ずしも同一でなくてもよい。
【００６２】
蓋本体１５の架け渡し部１３Ｃの形状は棒状に限られない。架け渡し部１３Ｃの形状として、環状部１３Ａと筒状部１３Ｂとをつなぐことのできる任意の形状を採用することができる。
【００６３】
蓋本体１５は、軸孔１３ｃが形成された筒状部１３Ｂおよび架け渡し部１３Ｃを備えていなくてもよい。排気弁１４は軸部１４Ｂを有していなくてもよい。例えば、蓋本体１５は、中心部に単一の排気孔を備えたものであってもよい。その場合、排気弁１４は、上記単一の排気孔を覆う弁体部と、弁体部から下方に延び、蓋本体１５の排気孔の周縁に対して上下方向に摺動可能に係合する複数の延伸部とを有していてもよい。延伸部の下端に、蓋本体１５の排気孔の周縁部に係止可能な弁ストッパを設けるようにしてもよい。回転防止部として、排気孔の周縁から中心側に延びる凸部または棒状部などを設けることとしてもよい。このような形態であっても、排気弁の延伸部と蓋本体の回転防止部とが当接することにより、排気弁の回転が防止される。
【００６４】
前記実施形態では、排水設備は、ます２０および雨水貯留槽３を備えた雨水設備１であったが、排水設備は雨水設備１に限られない。排水設備は、汚水を排出する汚水設備であってもよい。
【符号の説明】
【００６５】
１      雨水設備（排水設備）
１０    蓋
１２    蓋枠
１３    蓋本体
１３Ａ  環状部（外周部）
１３Ｂ  筒状部（中央部）
１３Ｃ  架け渡し部（回転防止部）
１３ｂ  排気孔
１３ｃ  軸孔
１４    排気弁
１４Ａ  弁体部
１４Ｂ  軸部
１４Ｃ  弁ストッパ（規制部）
１４Ｄ  リブ（延伸部）
【図１】
2018025026.tif 000003
【図２】
2018025026.tif 000004
【図３】
2018025026.tif 000005
【図４】
2018025026.tif 000006
【図５】
2018025026.tif 000007
【図６】
2018025026.tif 000008
【図７】
2018025026.tif 000009
【図８】
2018025026.tif 000010
【図９】
2018025026.tif 000011
【図１０】
2018025026.tif 000012
【図１１】
2018025026.tif 000013
【図１２】
2018025026.tif 000014
【図１３】
2018025026.tif 000015
【図１４】
2018025026.tif 000016
【図１５】
2018025026.tif 000017
【図１６】
2018025026.tif 000018
【図１７】
2018025026.tif 000019